(57)【特許請求の範囲】
【請求項１】
外形が矩形となるように形成された金属製の枠体と、該枠体で囲まれた内部に設けられた内部断熱材と、前記枠体と略同一の外形を有し、前記枠体の裏側面に設けられた裏面断熱材とを有する金属製断熱内壁枠を軸組みに固定する固定金具であって、
取付穴が穿設された取付板及び該取付板に垂直に設けられた垂直部板で構成される断面Ｔ字形のパネル係止部と、該パネル係止部の垂直部板の先端中央部から延出されて設けられた挿入板と、該挿入板の先端部に平行に固定された弾性変形可能な薄板からなる挿入係止板とを備えており、該挿入係止板は先端部が断面略Ｌ字形に折曲されて、該Ｌ字形の凸部が前記挿入板の片側の側面と同じ側に突出すると共に前記凸部の一部に爪板が突設されて形成された前部軸組み係止部と、前記挿入係止板の後端部が前記凸部が突出する側と同じ側に凸部が突出するように断面略Ｌ字形に折曲されて形成された後部軸組み係止部と、該後部軸組み係止部と前記前部軸組み係止部との間において、前記凸部が突出する側と反対側に断面略円弧状に張り出して形成された板ばねとを有することを特徴とする金属製断熱内壁枠の側部固定金具。
【発明の詳細な説明】
【０００１】
【発明の属する技術分野】
本発明は、住宅などの建物の壁内部に設ける断熱材の施工を簡略化するための金属製断熱内壁枠を、軸組みに固定する固定金具に関する。
【０００２】
【従来の技術】
従来、壁の内部に断熱材を設けるための施工方法として、図８に示すように、木製の断熱内壁枠２４を軸組み１３に取付ける方法が知られている。この木製の断熱内壁枠２４は、縦桟２５ａと上弦材（図外）及び下弦材２５ｂとを組み合わせて外形が矩形となるように形成された木製の枠体２５と該木製の枠体２５の内部に取付けられた断熱材２６で構成される。該断熱材２６は、グラスウール、ロックウール等の断熱材料で構成されたものであり、その外形は、前記木製の枠体２５の内側に沿って略矩形となるように形成されている。また、前記木製の枠体２５を構成する縦桟２５ａの外周面と前記軸組み１３側の面が交差する角部が切欠かれて切欠部２５ｃを有する。これは、前記木製の断熱内壁枠２４を取付ける際に取付金具２７との干渉を回避するためである。
【０００３】
前記木製の断熱内壁枠２４を前記軸組み１３に取付けるに際しては、前記軸組み１３の屋内側に固定された取付金具２７から突設された一端に釘頭状のつばを有する取付棒２７ａを、併設される前記木製の断熱内壁枠２４の間に形成される隙間に通した後に、前記取付棒２７ａの前記つばに中央に略Ｔ字形状の切欠部を有する押えプレート２８を嵌めるとことによって、前記木製の断熱内壁枠２４を前記軸組み１３に固定する。尚、前記木製の断熱内壁枠２４を前記軸組み１３に固定する施工と共に、前記下弦材２５ｂ及び前記縦桟２５ａの下部に釘２９を打込んで床３０に固定するなどの施工も同時に行われる。
【０００４】
ところが、前記木製の断熱内壁枠２４は、木製であるために、木の反りや前記木製の枠体２５の断面寸法の誤差によって前記木製の枠体２５において段差が生じて、その後の施工に悪い影響を与えたり、見栄えが悪くなる等の問題があった。
【０００５】
そこで、本件出願人は、後の「発明の実施の形態」の欄で詳述するように、外形が矩形となるように形成された金属製の枠体と、該枠体で囲まれた内部に設けられた内部断熱材と、前記枠体と略同一の外形を有し、前記枠体の裏側面に設けられた裏面断熱材とを有する金属製断熱内壁枠を用いて壁の内部に断熱材を設ける施工方法を新たに開発した。該金属製断熱内壁枠は、前記軸組み１３の間隔に合致するように形成されており、該金属製断熱内壁枠を前記軸組み１３に嵌め込み、前記枠体を前記軸組み１３に固定するだけで、断熱材を前記軸組み１３に取り付けることができるので、容易に壁の内部に設ける断熱材の施工を行うことができる。また、前記枠体が金属製であるために、取付け後の仕上がり精度が向上する。
【０００６】
しかし、上記のような金属製断熱内壁枠を用いて壁の内部に設ける断熱材の施工を行う場合には、前記枠体の裏側面に裏面断熱材が設けられているなど、従来の前記木製の断熱内壁枠２４と構成が大きく異なるために、前記木製の断熱内壁枠２４で使用していた前記取付金具２７を流用することができない。そのため、前記金属製断熱内壁枠を前記軸組み１３に取り付けるための新たな固定金具が必要となった。
【０００７】
特に、並設された前記金属製断熱内壁枠の間には前記縦桟２５ａが有する前記切欠部２５ｃのようなスペースがないため、市販の固定金具では用が足りず、この部分を固定できる特殊な固定金具が要求された。また、この固定金具にも取付作業が容易であることが望まれる。
【０００８】
【発明が解決しようとする課題】
本発明は、上記の課題に鑑みてなされたものであり、本発明の目的は、金属製断熱内壁枠を用いて壁の内部に断熱材を設ける施工方法を実施する場合に、金属製断熱内壁枠の側部を前記軸組みに容易且つ好適に固定することができる金属製断熱内壁枠の側部固定金具を提供することである。
【０００９】
【課題を解決するための手段】
請求項１記載の発明による金属製断熱内壁枠の側部固定金具は、外形が矩形となるように形成された金属製の枠体と、該枠体で囲まれた内部に設けられた内部断熱材と、前記枠体と略同一の外形を有し、前記枠体の裏側面に設けられた裏面断熱材とを有する金属製断熱内壁枠を軸組みに固定する金具であって、取付穴が穿設された取付板及び該取付板に垂直に設けられた垂直部板で構成される断面Ｔ字形のパネル係止部と、該パネル係止部の垂直部板の先端中央部から延出されて設けられた挿入板と、該挿入板の先端部に平行に固定された弾性変形可能な薄板からなる挿入係止板とを備えており、該挿入係止板は先端部が断面略Ｌ字形に折曲されて、該Ｌ字形の凸部が前記挿入板の片側の側面と同じ側に突出すると共に前記凸部の一部に爪板が突設されて形成された前部軸組み係止部と、前記挿入係止板の後端部が前記凸部が突出する側と同じ側に凸部が突出するように断面略Ｌ字形に折曲されて形成された後部軸組み係止部と、該後部軸組み係止部と前記前部軸組み係止部との間において、前記凸部が突出する側と反対側に断面円弧状に張り出して形成された板ばねとを有するものである。
【００１０】
【発明の実施の形態】
本発明に係る金属製断熱内壁枠の側部固定金具１は、図１及び図２に示すように、取付穴２ａが穿設された取付部板２ｂ及び該取付部板２ｂに垂直に設けられた垂直部板２ｃで構成されるパネル係止部２と、該パネル係止部２の垂直部板２ｃの先端部中央から延出されて設けられた細長い長方形板からなる挿入板３と、該挿入板３の先端部にリベット４によって固定された挿入係止板５とが設けられている。該挿入係止板５は弾性変形可能な薄板である。また、該挿入係止板５の先端部が断面略Ｌ字形に折曲されて、該Ｌ字形の凸部５Ａａが前記挿入板３の片側の側面と同じ側に突出されると共に前記凸部５Ａａの一部に爪板５Ａｂが突設されて形成された前部軸組み係止部５Ａと、前記挿入係止板５の後端部が前記凸部５Ａａが突出する側と同じ側に凸部５Ｂａが突出するように断面略Ｌ字形に折曲され、且つ前記挿入板３を回避して切欠かれて形成された後部軸組み係止部５Ｂと、該後部軸組み係止部５Ｂと前記前部軸組み係止部５Ａとの間で、前記凸部５Ａａが突出する側と反対側に断面略円弧状に張り出して形成された板ばね５Ｃとを有している。該板ばね５Ｃの中央には長方形状の切欠５Ｃａが設けられている。
【００１１】
本発明に係る金属製断熱内壁枠の側部固定金具１は前記金属製断熱内壁枠６を軸組みに固定するためのものである。この金属製断熱内壁枠６は、図３及び図３のＡ−Ａ断面図である図４に示すように、縦枠７と横枠８とを組み合わせて外形が矩形となるように形成された金属製の枠体９と、該枠体９で囲まれた内部において前記縦枠７同士又は横枠８同士をつないで前記枠体９を補強する金属製の桟１０とにより骨組みが構成されている。前記枠体９の外形寸法は、前記金属製断熱内壁枠６が取り付けられる軸組み１１、特に上側の軸組み上弦材１２の高さ及び柱１３の配置間隔に合致するように形成される（図６参照）。また、前記枠体９及び桟１０としては、角形鋼管、溝形鋼、リップ溝形鋼などを用いることができる。
【００１２】
前記枠体９で囲まれた内部には、前記桟１０と干渉しないように内部断熱材１４が設けられている。該内部断熱材１４は、袋体内にグラスウール、ロックウール等の断熱材料が収容されて構成されたものであり、その外形は、前記枠体９で囲まれた内部において前記枠体９及び桟１０により囲まれた空間と略同一形状の細長い略矩形となるように形成されている。前記内部断熱材１４の取付けは、前記枠体９及び桟１０により囲まれた空間に嵌め込まれるとともに、後述する裏面断熱材１５及び防湿シート１６により両側から挟まれることにより行われる。
【００１３】
前記枠体９の裏側面、すなわち屋外側面には、裏面断熱材１５が設けられる。該裏面断熱材１５は、袋体内にグラスウール、ロックウール等の断熱材料が収容されて構成されたものであり、その外形は、前記枠体９の外形と略同一形状の略矩形となるように形成されている。取付けの際は、図５に示すように、前記裏面断熱材１５を前記枠体９の裏側面に重ね合わせるように配置し、前記裏面断熱材１５の屋内側面にプラスチック板等の当て板１７を配置して、その上からステープル１８を打ち込んで前記枠体９又は桟１０に固定することにより行われる。また、図３又は図４に示すように、前記枠体９の表側面１９には、全面に薄い防湿シート１６が貼り付けられている。
【００１４】
以上のように構成された前記金属製断熱内壁枠６は、図６に示すように、前記上側の軸組み上弦材１２に取り付けられた上部固定金具２０と、前記金属製断熱内壁枠６の枠体９の下面に取り付けられた下部固定金具２１、そして、前記金属製断熱内壁枠６の枠体９の側面２２の中央部に取り付けられた本発明に係る金属製断熱内壁枠の側部固定金具１とを用いて（本発明に係る金属製断熱内壁枠の側部固定金具１の取付については後に詳述する）、前記軸組み１１の屋内側に、前記裏面断熱材１５を屋外側として取り付けられる。前記上部固定金具２０は、断面コ字形の嵌合部を有するものであり、軸組み上弦材１２の下面に取り付けられ、該上部固定金具２０に前記金属製断熱内壁枠６の上部を嵌合させることにより固定する。前記下部固定金具２１は、図６に示すように、長方形の平板形状であって、一端部が前記金属製断熱内壁枠６の表側面１９から突出するようにして、他端部を前記枠体９の下面に取り付け、突出した前記一端部を釘やビス等により床面２３に固定することにより前記金属製断熱内壁枠６を固定する。
【００１５】
前記金属製断熱内壁枠の側部固定金具１を用いて前記金属製断熱内壁枠６を軸組みに固定する場合は、図７に示すように、前記金属製断熱内壁枠６を軸組みの方へ手で押圧して所定の位置に押し込み後、金属製断熱内壁枠の側部固定金具１の先端側にある前部軸組み係止部５Ａから並設された前記金属製断熱内壁枠６の間の隙間に挿入していき、前記前部軸組み係止部５Ａの凸部５Ａａが前記金属製断熱内壁枠６の間の隙間を通り抜けて更に２つの軸組み１３の間の隙間を貫通するところまで挿入する。その後、前記パネル係止部２をビス７ａを用いて前記金属製断熱内壁枠６の表面へ固定して取付け完了となる。
【００１６】
以上のように取付けられた状態においては、前部軸組み係止部５Ａから突設された爪板５Ａｂが前記軸組み１３の奥側の角部１３ａに係止されているために、前記金属製断熱内壁枠の側部固定金具１が前記軸組み１３から脱離して外れる心配がない。また、後部軸組み係止部５Ｂが前記軸組みの手前側の角部１３ｂに係止されているが、これは、前記金属製断熱内壁枠の側部固定金具１がさらに奥へ挿入されないように働いている。ところで、前記前部軸組み係止部５Ａと前記後部軸組み係止部５Ｂとが同じ側の軸組み１３に係止されるが、このままでは、これらが前記同じ側の軸組み１３から遠ざかる方向へずれてしまう可能性があり、そうなれば前記前部軸組み係止部５Ａ及び前記後部軸組み係止部５Ｂは前記軸組み１３に十分に係止されない。そのことを考慮して、前記板ばね５Ｃを前記前部軸組み係止部５Ａ及び前記後部軸組み係止部５Ｂの前記凸部５Ａａ、５Ｂａが突出する側と反対側に設けて前記同じ側の軸組み１３と対向する軸組み１３の側面を押圧することで、前記前部軸組み係止部５Ａと前記後部軸組み係止部５Ｂとが同じ側の軸組み１３から遠ざかる方向へずれることを防止し、前記前部軸組み係止部５Ａと前記後部軸組み係止部５Ｂとが軸組み１３に確実に係止される。なお、前記板ばね５Ｃに長方形状の切欠５Ｃａが設けられたことにより、該板ばね５Ｃが前記軸組み１３の隙間に挿入される際の摩擦抵抗が低減されるので金属製断熱内壁枠の側部固定金具１を軸組み１３の隙間に挿入する際に余分な力を必要としない。
【００１７】
【発明の効果】
請求項１記載の金属製断熱内壁枠の側部固定金具は、取付穴が穿設された取付板及び該取付板に垂直に設けられた垂直部板で構成される断面Ｔ字形のパネル係止部と、該パネル係止部の垂直部板の先端中央部から延出されて設けられた挿入板と、該挿入板の先端部に平行に固定された弾性変形可能な薄板からなる挿入係止板とを備えており、該挿入係止板は先端部が断面略Ｌ字形に折曲されて、該Ｌ字形の凸部が前記挿入板の片側の側面と同じ側に突出すると共に前記凸部の一部に爪板が突設されて形成された前部軸組み係止部と、前記挿入係止板の後端部が前記凸部が突出する側と同じ側に凸部が突出するように断面略Ｌ字形に折曲されて形成された後部軸組み係止部と、該後部軸組み係止部と前記前部軸組み係止部との間において、前記凸部が突出する側と反対側に断面円弧状に張り出して形成された板ばねとを有するものであるので、これを用いて金属製断熱内壁枠を軸組みに容易且つ好適に固定することができる。
【図面の簡単な説明】
【図１】本発明に係る金属製断熱内壁枠の側部固定金具を示す斜視図である。
【図２】本発明に係る金属製断熱内壁枠の側部固定金具を示す平面図である。
【図３】本発明の実施形態に係る金属製断熱内壁枠を示す斜視図である。
【図４】図３のＡ−Ａ断面図である。
【図５】裏面断熱材の枠体への取付構造を示す図である。
【図６】本発明の実施形態に係る金属製断熱内壁枠の軸組みへの取付状態を示す図である。
【図７】本発明に係る金属製断熱内壁枠の側部固定金具の使用状態を示す説明図である。
【図８】従来例に係る壁の内部の断熱材の施工方法を示す斜視図である。
【符号の説明】
２      パネル係止部
３      挿入板
５      挿入係止板
５Ａ    前部軸組み係止部
５Ａａ  凸部
５Ａｂ  爪板
５Ｂ    後部軸組み係止部
５Ｂａ  凸部
５Ｃ    板ばね
【図１】
0003841981.tif 000002
【図２】
0003841981.tif 000003
【図３】
0003841981.tif 000004
【図４】
0003841981.tif 000005
【図５】
0003841981.tif 000006
【図６】
0003841981.tif 000007
【図７】
0003841981.tif 000008
【図８】
0003841981.tif 000009